【手続補正書】
【提出日】平成26年2月18日(2014.2.18)
【手続補正１】
【補正対象書類名】特許請求の範囲
【補正対象項目名】全文
【補正方法】変更
【補正の内容】
【特許請求の範囲】
【請求項１】
装置であって、
デジタル画像を取り込む画像センサと、
複数の色変換を記憶するデータ記憶システムと、
視覚環境における光レベルの指標を提供する環境感知機構と、
処理システムと、
を備え、
前記処理システムは、
前記画像センサを用いて入力デジタル画像を取り込む工程であって、該入力デジタル画像が複数の色チャネルについて画像ピクセルのアレイを含んでおり、該画像ピクセルがカラーピクセル値を含む、取り込む工程と、
所定の閾値を超えるような、感知された光レベルを示す前記環境感知機構からの信号に少なくとも部分的に基づいて、前記複数の色変換からプレビュー色変換を選択する工程であって、該プレビュー色変換は、画像コントラストを強調する画像コントラスト強調プレビュー色変換及び画像彩度を引き上げる画像彩度引き上げプレビュー色変換の組合せを含み、前記画像コントラスト強調プレビュー色変換は、コントラスト変換関数を各色チャネルの前記カラーピクセル値に適用することによって前記入力デジタル画像のコントラストを強調し、前記画像彩度引き上げプレビュー色変換は、色変換関数を各色チャネルの前記カラーピクセル値に適用することによって前記入力デジタル画像の彩度を引き上げる、選択する工程と、
前記プレビュー色変換を用いて前記入力デジタル画像を変換してプレビュー画像を形成する工程と、
ソフトコピーディスプレイに前記プレビュー画像を表示する工程と、
を実行することを特徴とする装置。
【請求項２】
請求項１に記載の装置であって、前記ソフトコピーディスプレイは、ＬＣＤディスプレイ及びＯＬＥＤディスプレイのうちの一方である、装置。
【請求項３】
請求項１に記載の装置であって、前記画像センサは、環境感知手段として用いられる、装置。
【請求項４】
請求項３に記載の装置であって、前記環境感知手段は、さらに、シーンの輝度レベルを判定する、装置。
【請求項５】
請求項１に記載の装置であって、前記環境感知機構は、前記ソフトコピーディスプレイに入射する周辺光の光レベルを検出する、装置。
【請求項６】
請求項１に記載の装置であって、選択された前記プレビュー色変換が、グレースケールプレビュー画像を形成する、装置。
【請求項７】
請求項１に記載の装置であって、前記プレビュー色変換の選択は、さらに、ユーザ嗜好設定に少なくとも部分的に基づくものである、装置。
【請求項８】
請求項７に記載の装置であって、前記ユーザ嗜好設定は、前記プレビュー色変換を前記環境感知機構からの信号に応じて変更すべきかを示す、装置。
【請求項９】
請求項７に記載の装置であって、前記ユーザ嗜好設定は、選択された少なくとも１つのプレビュー色変換に関連付けられたコントラスト変更及び彩度変更のうちの一方の大きさを制御する、装置。
【請求項１０】
請求項１に記載の装置であって、前記処理システムは、さらに、前記環境感知機構からの信号に応じて前記ソフトコピーディスプレイの輝度を調整する工程を行う、装置。
【請求項１１】
請求項１０に記載の装置であって、前記処理システムは、前記ソフトコピーディスプレイの輝度を、高いグレアを有する悪い視覚条件に対応する前記環境感知機構からの信号に少なくとも部分的に基づいて上げる、装置。
【請求項１２】
請求項１に記載の装置であって、前記処理システムは、さらに、前記入力デジタル画像を処理装置アクセス可能メモリに記録する前に出力色変換を前記入力デジタル画像に適用する工程を行う、装置。
【請求項１３】
請求項１に記載の装置であって、前記装置は、静止デジタル画像を取り込むデジタルカメラである、装置。
【請求項１４】
請求項１３に記載の装置であって、前記プレビュー画像は、ユーザが撮影ボタンを半押しすることで前記ソフトコピーディスプレイに表示される、装置。
【請求項１５】
請求項１４に記載の装置であって、前記入力デジタル画像は、前記ユーザが撮影ボタンを完全に押すことで前記処理装置アクセス可能メモリに記録される、装置。
【請求項１６】
請求項１４に記載の装置であって、前記入力デジタル画像は、前記ユーザが撮影ボタンを完全に押した後、前記プレビュー色変換を用いずに前記ソフトコピーディスプレイに表示される、装置。
【請求項１７】
請求項１に記載の装置であって、前記装置は、デジタルビデオを取り込むデジタルビデオカメラである、装置。
【請求項１８】
請求項１に記載の装置であって、
前記複数の色変換は、少なくとも１つの変換パラメータに少なくとも部分的に基づいて継続的に変化する色変換のセットであり、
前記プレビュー色変換の選択は、前記環境感知機構からの信号に少なくとも部分的に基づいて前記少なくとも１つの変換パラメータに対する少なくとも１つのパラメータ値を調整する工程を含む、
装置。
【請求項１９】
装置であって、
デジタル画像を取り込む画像センサと、
複数の色変換を記憶するデータ記憶システムと、
処理システムと、
を備え、
前記処理システムは、
前記画像センサを用いて入力デジタル画像を取り込む工程であって、該入力デジタル画像が複数の色チャネルについて画像ピクセルのアレイを含んでおり、該画像ピクセルがピクセル・コード値を含む、取り込む工程と、
ユーザ入力に少なくとも部分的に基づいてプレビュー色強調変換を選択する工程であって、該選択されたプレビュー色強調変換は、画像コントラストを強調する画像コントラスト強調プレビュー色変換及び画像彩度を引き上げる画像彩度引き上げプレビュー色変換の組合せを含み、前記画像コントラスト強調プレビュー色変換は、コード値調整関数を各色チャネルのカラーピクセル値に適用することによって前記画像コントラストを強調し、前記画像彩度引き上げプレビュー色変換は、色変換関数を各色チャネルのカラーピクセル値に適用することによって前記入力デジタル画像の彩度を引き上げる、選択する工程と、
前記プレビュー色強調変換を用いて前記入力デジタル画像を変換してプレビュー画像を形成する工程と、
ソフトコピーディスプレイに前記プレビュー画像を表示する工程と、
を実行することを特徴とする装置。
【請求項２０】
請求項１に記載の装置であって、さらに、前記画像センサ上でシーンを撮像する光学系を有する、装置。
【請求項２１】
請求項１に記載の装置であって、前記コントラスト変換関数は、前記カラーピクセル値の少なくとも一部についての勾配よりもより大きな勾配を有するようなコード値調整関数を含む、装置。
【請求項２２】
請求項１に記載の装置であって、前記画像コントラスト強調プレビュー色変換及び画像彩度引き上げプレビュー色変換の組合わせは、各画像ピクセルについてのカラーピクセル値を、前記画像ピクセルのコントラスト及び彩度を強調するようなコントラスト及び彩度の組合せマトリックスによって多重化される、装置。
【請求項２３】
請求項１に記載の装置であって、前記処理システムは、さらに、前記プレビュー色変換を用いずに処理装置アクセス可能なメモリに前記入力デジタル画像を記録する、装置。
【請求項２４】
請求項１に記載の装置であって、プレビュー画像表示が前記データ記憶システムに記憶され、前記プレビュー画像表示が、前記入力デジタル画像への参照を含み、さらに選択されたプレビュー色変換への参照も含む、装置。
【請求項２５】
請求項１に記載の装置であって、プレビュー画像表示が前記データ記憶システムに記憶され、前記プレビュー画像表示が、前記入力デジタル画像を含み、前記入力デジタル画像は、さらに、選択されたプレビュー色変換を示すメタデータを含む、装置。
【請求項２６】
請求項１に記載の装置であって、選択されたプレビュー色変換は、さらに、画像輝度を強調する画像輝度強調プレビュー色変換を組み合わせる工程を含み、該画像輝度強調プレビュー色変換は、輝度変換関数を前記入力デジタル画像に適用することによって前記入力デジタル画像の輝度を強調する、装置。
【請求項２７】
方法であって、
画像センサによってデジタル画像を取り込む工程と、
複数の色変換をデータ記憶システムに記憶する工程と、
環境感知機構によって視覚環境における光レベルの指標を提供する工程と、
前記画像センサを用いて入力デジタル画像を取り込む工程であって、該入力デジタル画像が複数の色チャネルについて画像ピクセルのアレイを含んでおり、該画像ピクセルがカラーピクセル値を含む、取り込む工程と、
処理システムによって、所定の閾値を超えるような、感知された光レベルを示す前記環境感知機構からの信号に少なくとも部分的に基づいて、前記複数の色変換からプレビュー色変換を選択する工程であって、該選択されたプレビュー色変換は、画像コントラストを強調する画像コントラスト強調プレビュー色変換及び画像彩度を引き上げる画像彩度引き上げプレビュー色変換の組合せを含み、前記画像コントラスト強調プレビュー色変換は、コントラスト変換関数を各色チャネルの前記カラーピクセル値に適用することによって前記入力デジタル画像のコントラストを強調し、前記画像彩度引き上げプレビュー色変換は、色変換関数を各色チャネルの前記カラーピクセル値に適用することによって前記入力デジタル画像の彩度を引き上げる、選択する工程と、
前記処理システムよって、前記プレビュー色変換を用いて前記入力デジタル画像を変換してプレビュー画像を形成する工程と、
ソフトコピーディスプレイに前記プレビュー画像を表示する工程と、を含む、
方法。
【請求項２８】
内部に命令を記憶し、プロセッサによって実行可能になる非一時的なコンピュータ可読媒体であって、前記プロセッサが：
デジタル画像を取り込む工程と、
複数の色変換を記憶する工程と、
視覚環境における光レベルの指標を提供する工程と、
入力デジタル画像を取り込む工程であって、該入力デジタル画像が複数の色チャネルについて画像ピクセルのアレイを含んでおり、該画像ピクセルがカラーピクセル値を含む、取り込む工程と、
所定の閾値を超えるような、視覚環境における光レベルを示す信号に少なくとも部分的に基づいて、前記複数の色変換からプレビュー色変換を選択する工程であって、該選択されたプレビュー色変換は、画像コントラストを強調する画像コントラスト強調プレビュー色変換及び画像彩度を引き上げる画像彩度引き上げプレビュー色変換の組合せを含み、前記画像コントラスト強調プレビュー色変換は、コントラスト変換関数を各色チャネルの前記カラーピクセル値に適用することによって前記入力デジタル画像のコントラストを強調し、前記画像彩度引き上げプレビュー色変換は、色変換関数を各色チャネルの前記カラーピクセル値に適用することによって前記入力デジタル画像の彩度を引き上げる、選択する工程と、
前記プレビュー色変換を用いて前記入力デジタル画像を変換してプレビュー画像を形成する工程と、
ソフトコピーディスプレイに前記プレビュー画像を表示する工程と、を実行する、
コンピュータ可読媒体。